(57)【要約】  【課題】  練習者が自分のフォームをチェックしながら、自然なフォームで練習をすることができるようにする。  【解決手段】  ボール５を配置する基板１の略中央部に穴部１ａを形成し、この穴部１ａにディスプレイ３を配置するとともに、穴部１ａに上面に透過性を有する強化樹脂製のプレート２を取り付けて、ディプレイ３を覆い、この状態でディスプレイ３にカメラ４で撮影した練習者の映像を出力して映し出すようにした。  【選択図】        図１
2005058522.tif 000002
【特許請求の範囲】
【請求項１】
練習者が近傍に立った状態でゴルフのスイングを行って練習を行う装置であって、
ゴルフのボールを配置する基板と、
上記基板の略中央部に形成された穴部と、
練習者の近傍に配置され、練習者を撮影するためのカメラと、
上記穴部内に上方を向けて配置され、上記カメラにより撮影された映像データを入力して撮影した練習者の映像を出力するディスプレイと、
上記基板の穴部に取り付けられ、上記ディスプレイの上面を覆う透過性を有する強化樹脂製のプレート部材と、
を有することを特徴とするゴルフ練習装置。
【請求項２】
上記プレート部材の上面には樹脂コーティング層が形成されている、
請求項１記載のゴルフ練習装置。
【請求項３】
上記プレート上に配置され、上記ディスプレイの少なくとも一部を覆うマットを更に有する、
請求項１又は２記載のゴルフ練習装置。
【請求項４】
上記マットの下部には、上記プレート部材に吸着してマットを保持するための吸盤が取り付けられている、
請求項３記載のゴルフ練習装置。
【請求項５】
上記カメラは、練習者の近傍で異なる位置に配置された複数台配置されており、
上記複数のカメラと接続され、各カメラからの画像を一つの画面上にまとめて表示するように映像を編集して出力する編集装置を更に有する、
請求項１〜４のいずれかの項に記載のゴルフ練習装置。
【請求項６】
ゴルフのボールを配置する基板と、上記基板の略中央部に形成された穴部と、練習者の近傍に配置され、練習者を撮影するためのカメラと、上記穴部内に上方を向けて配置され、上記カメラにより撮影された映像データを入力して撮影した練習者の映像を出力するディスプレイと、上記基板の穴部に取り付けられ、上記ディスプレイの上面を覆う透過性を有する強化樹脂製のプレート部材とを有するゴルフ練習装に用いられるティであって、
上記ティは、皿状に形成されボールを載置する載置部と、上記載置部にボールを載せた状態で、上記プレート部材の上面に吸着する吸盤部と、
から構成されていることを特徴とするゴルフ練習装置用ティ。
【請求項７】
上記載置部は、上記吸盤部に対して回動可能に取り付けられている、
請求項６記載のゴルフ練習装置用ティ。
【請求項８】
ゴルフのボールを配置する基板と、上記基板の略中央部に形成された穴部と、練習者の近傍に配置され、練習者を撮影するためのカメラと、上記穴部内に上方を向けて配置され、上記カメラにより撮影された映像データを入力して撮影した練習者の映像を出力するディスプレイと、上記基板の穴部に取り付けられ、上記ディスプレイの上面を覆う透過性を有する強化樹脂製のプレート部材とを有するゴルフ練習装に用いられるティであって、
上記ティは、人口芝が形成されていたマット状の載置部と、上記載置部にボールを載せた状態で、上記プレート部材の上面に吸着する吸盤部と、
から構成されていることを特徴とするゴルフ練習装置用ティ。
【発明の詳細な説明】
【技術分野】
【０００１】
本発明は、ゴルフの練習に使用する装置に関するものであって、特に、ゴルフのフォームを整えるのに好適な技術に関する。
【背景技術】
【０００２】
ゴルフを行う際、スコアを上げるためには、フォームを整えることが望まれる。一方で、テレビなどでプロのスイングを見て、それを真似して自分でやろうとしても、自分では同じフォームをしているつもりでも、なかなか上手くできないという悩みがある。
このような悩みを解消するため、従来からゴルフの練習をするために様々な練習器具が提案されている。
【０００３】
第1の例として、スイング動作をカメラで撮影し、テレビカメラからの出力映像信号を表示画面に表示するゴルフ練習装置において、表示画面をティの近傍であって、ほぼ床板の高さに打者に向けて配置したゴルフ練習装置が提案されている（例えば、特許文献１）。
また、第２の例として、ハーフミラーにより眼で実際に見る風景とビデオ映像とを同時に見ることができる映像表示部等を有するヘッドマウントディスプレイにより、ビデオカメラで撮影した練習者自身の画像をこの映像表示部で見ながらスイングの練習をすることができる装置が提案されている（例えば、特許文献２）。
【０００４】
【特許文献１】実開平０６−７０７７１号公報
【特許文献１】特開平１０−１２７８５０号公報
【発明の開示】
【発明が解決しようとする課題】
【０００５】
しかし、上述の第1の従来例の装置では、ディスプレイがマットとは別の場所のティの近傍に配置されているため、練習者が自分のフォームをディスプレイで確認しながら練習しようとすると、ディスプレイを見るために顔を上げた不自然な状態でスイングをする必要があった。これでは、いわゆるヘッドアップした状態でスイングを行うこととなってしまい、ゴルフ場などでプレーする時ののように自然な形でスイングの練習をすることができず、十分な練習ができないという問題があった。
また、練習者は、ティとディスプレイの２箇所を意識しながらスイングをするする必要が有るため、スイングに集中することができず、なかな上手くスイングの練習をすることができないという問題があった。
【０００６】
また、上述の第２の従来例の装置では、頭に取り付けるヘッドマウントディスプレイであるため、映像録画再生装置からのコードが練習者の背中から頭に当たり邪魔になるばかりか、スイングをしようとするとこのコードが振り上げたクラブに引っかかる場合が有るなどの問題があった。
また、ヘッドマウントディスプレイでは、撮影した映像と実際の映像とが重なるように見えるため、ボールが見ずらいばかりか、練習者がボールに集中できないなどの問題があった。
【０００７】
本発明は上述の問題点を解決するためになされたものであって、練習者が自分のフォームをチェックしながら、自然なフォームで練習をすることができるゴルフ練習装置及びこの装置用のティを提供することを課題とする。
【課題を解決するための手段】
【０００８】
上述の課題を解決するため、本発明の一の観点にかかるゴルフ練習装置は、練習者が近傍に立った状態でゴルフのスイングを行って練習を行う装置であって、ゴルフのボールを配置する基板と、上記基板の略中央部に形成された穴部と、練習者の近傍に配置され、練習者を撮影するためのカメラと、上記穴部内に上方を向けて配置され、上記カメラにより撮影された映像データを入力して撮影した練習者の映像を出力するディスプレイと、上記基板の穴部に取り付けられ、上記ディスプレイの上面を覆う透過性を有する強化樹脂製のプレート部材とを有することを特徴とする。
【０００９】
強化樹脂としては、例えば、ポリウレタン、強化プラスチック、炭素繊維強化プラスチック（CFRP）部材などを用いることができる。
【００１０】
上記プレート部材の上面には樹脂コーティング層が形成されていてもよい。
【００１１】
また、上記プレート上に配置され、上記ディスプレイの少なくとも一部を覆うマット更に有してもよい。また、このマットの下部には、上記プレート部材に吸着してマットを保持するための吸盤が取り付けられていてもよい。
【００１２】
上記カメラは、練習者の近傍で異なる位置に配置された複数台配置されており、上記複数のカメラと接続され、各カメラからの画像を一つの画面上にまとめて表示するように映像を編集して出力する編集装置を更に有してもよい。
【００１３】
本発明の一の観点に係るティは、ゴルフのボールを配置する基板と、上記基板の略中央部に形成された穴部と、練習者の近傍に配置され、練習者を撮影するためのカメラと、上記穴部内に上方を向けて配置され、上記カメラにより撮影された映像データを入力して撮影した練習者の映像を出力するディスプレイと、上記基板の穴部に取り付けられ、上記ディスプレイの上面を覆う透過性を有する強化樹脂製のプレート部材とを有するゴルフ練習装に用いられるティであって、上記ティは、皿状に形成されボールを載置する載置部と、上記載置部にボールを載せた状態で、上記プレート部材の上面に吸着する吸盤部とから構成されていることを特徴とする。
【００１４】
また、上記載置部は、上記吸盤部に対して回動可能に取り付けられていてもよい。
【００１５】
本発明の別の観点に係るティは、ゴルフのボールを配置する基板と、上記基板の略中央部に形成された穴部と、練習者の近傍に配置され、練習者を撮影するためのカメラと、上記穴部内に上方を向けて配置され、上記カメラにより撮影された映像データを入力して撮影した練習者の映像を出力するディスプレイと、上記基板の穴部に取り付けられ、上記ディスプレイの上面を覆う透過性を有する強化樹脂製のプレート部材とを有するゴルフ練習装に用いられるティであって、上記ティは、人口芝が形成されていたマット状の載置部と、上記載置部にボールを載せた状態で、上記プレート部材の上面に吸着する吸盤部とから構成されていることを特徴とする。
【発明の効果】
【００１６】
本発明によれば、練習者が自分のフォームをチェックしながら、自然なフォームで練習することができる。
【発明を実施するための最良の形態】
【００１７】
以下、図面を参照して本発明にかかるゴルフ練習装置の一形態について説明する。図１及び図２にゴルフ練習装置の一例を示す。
図１、図２に示したゴルフ練習装置は、基板１と、基板１に取り付けられたディスプレイ３と、ディスプレイ３を保護するプレート２と、練習者を撮影するためのカメラ４から構成されている。
【００１８】
基板１は、図２に示すように基台１１と、基台１１上に貼り付けられたマット１２から構成されている。
基台１１は、基板１にディスプレイ３を取り付けるためのスペースを作るための台である。この基台１１は、木、アルミ、鉄など適宜な材料により作ることができる。マット１２は、その上面に人口芝が形成されたマットである。
なお、基板１は、基台１１又はマット１２のいずれか一方のみで構成してもよい。
【００１９】
また、基板１の略中央部には、図２に示すようにその長手方向に伸びた穴部１ａが形成されている。この穴部１ａの縦横の幅はディスプレイ３の幅に応じた幅となっており、穴部１ａの高さ(深さ）はディスプレイ３の厚さよりも若干大きく形成されている。また、図２に示した穴部１ａは貫通穴であるが、この穴部１ａを有底の穴として、そこにディスプレイ３を嵌込むようにしてもよい。
また、基板１の一端側には、ティ６を出すためのティ用穴１ｂが形成されている。このティ用穴１ｂには、ティ６が図示しないゴルフ練習場などに配置されているティ駆動装置により上下に駆動されて出退可能に配置される。これにより、ティ６によりボール５をティアップすることができる。
【００２０】
また、穴部１ａの上部には、強化樹脂製のプレート２が接着剤等により取り付けられている。このプレート２は透過性を有する薄板状をしており、透過性を有することによりプレート２の下に配置されたディスプレイ３の映像を練習者が見ることができるようになっている。
また、このプレート２は、強化樹脂により製作されているため、スイングされたゴルフクラブが当たっても壊れない耐性を有している。
このようなプレート２としては、例えば、ポリウレタン、強化プラスチック、炭素繊維強化プラスチック（CFRP）部材などにより製作することができる。
なお、プレート２の形状、厚さなどは特に限定されず任意である。
【００２１】
ディスプレイ３は、カメラ４で撮影した映像を出力する装置である。このディプレイ３は、その一端部にコード３ｂと端子３ａが取り付けられ、この端子３ａがカメラ側の端子と接続されることにより、映像データを入力することができるようになっている。
ディスプレイ３としていは、例えば、液晶ディスプレイ、プラズマディスプレイ、ＣＲＴなどを使用することができるが、好ましくは、装置を小型化するため薄型のものがよい。
【００２２】
カメラ４は、練習者を撮影するための撮影装置である。このカメラは三脚などにより練習者の近傍に配置され、練習者のスイングの映像を撮影することができる。なお、このカメラ４の配置は、練習者の任意であり、例えば、真後ろに置いてもよいしまた正面に置いても良い。このカメラ４としては、ビデオカメラを使用することができる。
【００２３】
次に、この装置の使い方について図１を参照して説明する。
図１の状態では、ディスプレイ３が基板１の穴部１ａに取り付けられ、ディスプレイ３のコネクタ３ａがカメラ４に取り付けられ、カメラ４の映像がディスプレイ３に出力されるようになっている。
まず、ティ用穴１ｂからティ６を突出させ、このティ６にボール５を載せた状態とする。この状態で、基板１の脇の近傍にゴルフクラブを持った練習者が立って、ボール５を打つためのスタンスを取る。
【００２４】
この時、カメラ４は、練習者を撮影しているため、その撮影された映像がコネクタ３ａ、コード３ｂを介してディスプレイ３に入力され、ディスプレイ３から練習者の映像が出力されて映し出される。この時、練習者はスタンスを取った状態、即ち、下を向いた状態で、ディスプレイ３に映し出された映像を見ながら、自分のスタンスを確認してそのフォームを修正する。
そして、練習者がゴルフクラブを振り上げたときにも、又、スイングしたときも、カメラ４によりその映像がディスプレイ３に出力されるため、練習者はこの映像を見て振り上げたゴルフクラブの位置や高さ、スイングの状態を確認できる。
【００２５】
また、アイアンなどのティアップしないでボール５を打つ練習をする際には、まずプレート２上にボール５を置いて、基板１の近傍で練習者がスイングの構えをする。
この状態でも、カメラ４により撮影された映像がディスプレイ３に出力され映し出される。そのため、練習者は、構えた状態、即ち下を向いた状態で、ボール５の下にあるディスプレイ３に映し出された映像を見ながら、自分のスタンスを確認してそのフォームを修正することができる。
【００２６】
このように、上述のゴルフ練習装置によれば、ボール５を配置する基板１の略中央部に形成した穴部１ａにディスプレイ３を配置し、このディスプレイ３にカメラ４で撮影した練習者の映像を出力して映し出すようにしたことから、練習者はゴルフの構えをした状態でディプレイ３に映し出された映像を見ながらフォームを確認し、修正することができる。即ち、ボール５の位置とディスプレイ３の位置が練習者の目線としては略同じ位置にあるため、練習者は自分のフォームをディスプレイ３で自然な姿勢で確認することができる。
また、穴部１ａに上面に透過性を有する強化樹脂製のプレート２を取り付けて、ディプレイ３を覆うようにしたことから、例えゴルフクラブやボールが当たってディスプレイ３を痛めてしまうことがなく、ディスプレイ３を保護することができる。またプレート２は、透過性であるためディスプレイ３の映像を見る妨げともならない。
【００２７】
なお、ディスプレイ３と基板１との間に緩衝材を配置し、ディスプレイ３に加わる衝撃を緩和するようにしてもよい。この緩衝材としは、例えば、ゴムや樹脂製のパッド、発泡スチロールなど適宜なものを利用することができる。
【００２８】
また、プレート２上にボール５を置いて、ティアップしないでボールを打つ場合、振り下ろしたクラブがプレート２に当たって練習者に衝撃を与える場合がある。このような場合のために、図３に示すようにプレート２上に透過性を有する樹脂のコーティング層２０を形成してもよい。
これにより、練習者のクラブがプレート２に当たっても、このコーティング層２０により衝撃が緩和され、よりスムーズにクラブを振り抜くことができる。
【００２９】
また、より実際のゴルフコースに近い形で練習をするために、図４に示すようにプレート２(ディスプレイ３）の少なくとも一部を覆うマット１００を配置してもよい。このマット１００は、上面に人工芝が張られているとともに、その下面には吸盤１０１が四隅に取り付けられ、この吸盤１０１によりプレート２に吸着してマット１００を固定できるようになっている。
【００３０】
このように、図４に示したプレート２上にマット１００を取り付け、その上にボール５を置いて練習をすることで、より芝の上でスイングをした時に近い形でゴルフクラブを振りぬくことができる。また、マット１００はディスプレイ３の一部しか覆っていないから、ディスプレイ３の残りの空いている部分に映し出されたスイングの映像を見て、フォームの修正等をすることができる。
なお、マット１００の大きさをどの程度にするかは任意であり、ディスプレイ３の半分を覆うようにしてもよいし、またごく一部のみ覆うようにしてもよい。また、吸盤１０１を設けずにマットのみを置くようにしてもよい。
【００３１】
また、プレート２上にティを置いて、ゴルフの練習をするようにしてもよい。この場合のティは、図５に示したティ７を使用することができる。このティ７は、その上部にボール５を載置する皿状のボール受部７ａと、ボール受部７ａをプレート２上に固定するための吸盤７ｂから構成されていている。
このように構成されたティ７を使う場合には、吸盤７ｂをプレート２上に吸着して固定し、ボール受部７ａにボール５を載せて、このボール５を打つことによりゴルフの練習を行う。
これにより、練習者がスイングをした際に、クラブがプレート２に直接当たることを防止でき、よりスムーズにクラブを振りぬくことができる。また、このティ７の高さを高くすることで、ディスプレイ３上でウッドなどの練習をすることも可能となる。
【００３２】
図５の例は、ボール受部７ａを皿状にした例について説明したが、図６に示したティ８は用いてもよい。このティ８は、人口芝が形成されていたマット状のボール受部８ａと下部に設けた吸盤８ｂから構成されている。そして、この吸盤８ｂをプレート２に吸着して固定した状態で、ボール受部８ａ上にボールを置くことができるようになっている。
このように、図６に示した例によれば、練習者がスイングをした際に、クラブがプレート２に当たることを防止できるし、ボール受部８ａを人工芝としたことで、よりスムーズにクラブを振り抜いて練習することができる。
【００３３】
また、図７に示すように、ボール受部９ａを回動可能としてもよい。この場合、ティ９はボール受部９ａと、このボール受部９ａの下部から下方に延びたリング状のリング９ｃと、吸盤９ｂとからなり、この吸盤９ｂの上端部にはリング９ｃが貫通する穴９ｄが形成されている。
このように図７に示した例によれば、上述の図５に示した例と同様な効果を奏することができる。また、例えば、ジャッキなどにより基板１の一端部をディスプレイ３ごと持ち上げて斜めに配置して練習をする場合がある。このような場合、吸盤９ｂをプレート２上に吸着させて固定しながら、ボール受部９ａをその傾斜に応じて吸盤９ｂに対して回動かさせてボール５を載置することで、本装置を使って傾斜面でのゴルフのスイングの練習を行う際にも、安定してボール５を保持することができる。
【００３４】
また、上述の図１の例では、カメラ４を１台のみ配置した例につて説明したが、図８に示したようにカメラ４を複数台、それぞれ異なる位置に配置してもよい。この際、複数のカメラ４からの映像を受け付けて編集する編集装置１０を設けてもよい。この編集装置１０は、複数のカメラ４からの映像を受信する機能と、複数のカメラ４からの映像を一つ画面上にエリアを分けてそれぞれ表示するためのマルチ映像を作成する編集機能と、編集した映像をディスプレイ３に出力する機能を有する。
図８に示した例によれば、複数のカメラ４により撮影した画像を一つのディスプレイ３にまとめて表示した状態で練習をすることができる。これにより、例えば、練習者を後ろから撮影した映像と、正面から撮影した映像とを一つの画面上に写して、それぞれの角度から自分のフォームの状態をチェックすることができ、より練習者の上達速度が早くすることができる。
【００３５】
上述の各例では、基板１の厚さにより、練習者の足元と基板１との間に段差ができてしまうため、練習者が載るための台を設けてもよい。この台は基板１の厚さと略同じ高さとするとよい。これにより、練習者は段差による違和感がなく、実際のゴルフ場と同じイメージでスイングすることができる。
【００３６】
上述の例は、本発明の一例であって、本発明の趣旨を逸脱しない範囲で適宜変更を加えることができる。
【図面の簡単な説明】
【００３７】
【図１】本発明にかかるゴルフ練習装置の一例を示した斜視図。
【図２】基板とディスプレイとを分解した様子を示した分解斜視図。
【図３】樹脂層を形成したプレートの例を示した側面図。
【図４】プレート上にマットを配置した例を示した斜視図。
【図５】ティの一例を示した斜視図。
【図６】ティの別の例を示した斜視図。
【図７】ティの更に別の例を示した斜視図。
【図８】本発明にかかるゴルフ練習装置の別の例を示した斜視図。
【符号の説明】
【００３８】
１      基板
１ａ    穴部
２      プレート
３      ディスプレイ
４      カメラ
５      ボール
６、７，８，９  ティ
１０    編集装置
２０    コーティング層
１００  マット
１０１  吸盤
【図１】
2005058522.tif 000003
【図２】
2005058522.tif 000004
【図３】
2005058522.tif 000005
【図４】
2005058522.tif 000006
【図５】
2005058522.tif 000007
【図６】
2005058522.tif 000008
【図７】
2005058522.tif 000009
【図８】
2005058522.tif 000010